(57)【要約】【課題】  見栄えがよいモール配線が可能なモジュラジャックを提供する。【解決手段】  モジュラプラグが挿入されるプラグ挿入口を有し裏面が取付面Ｗに向けられた状態で取付面Ｗに取り付けられるハウジング１に、裏面と側面との間で連続する開口部を設け、開口部からケーブルＣをハウジング１内に導入する。ケーブルＣをモール配線する際にケーブルＣがハウジング１の外側において取付面Ｗから浮かないようにできるので、見栄えがよいモール配線が可能となる。【選択図】図１
2006004761.tif 000002
【特許請求の範囲】
【請求項１】
モジュラプラグが挿入されるプラグ挿入口を有し裏面が取付面に向けられた状態で取付面に取り付けられるハウジングと、ハウジング内に収納され、プラグ挿入口から挿入されたモジュラプラグの接触子に接触導通するとともにハウジング内に導入されたケーブルの心線に電気的に接続されるコンタクトとを備え、ハウジングの裏面に隣り合う側面と裏面との間で連続する開口部を設け、該開口部から前記ケーブルをハウジング内に導入することを特徴とするモジュラジャック。
【請求項２】
モジュラプラグが挿入されるプラグ挿入口を有し裏面が取付面に向けられた状態で取付面に取り付けられるハウジングと、ハウジング内に収納され、プラグ挿入口から挿入されたモジュラプラグの接触子に接触導通するとともにハウジング内に導入されたケーブルの心線に電気的に接続されるコンタクトとを備え、ハウジングの裏面に隣り合う側面と裏面とにそれぞれ開口部を設け、側面の開口部から前記ケーブルをハウジング内に導入するものであって、ハウジングにおいて裏面の開口部と側面の開口部とを仕切る部位を切除可能としたことを特徴とするモジュラジャック。
【請求項３】
モジュラプラグが挿入されるプラグ挿入口を有し裏面が取付面に向けられた状態で取付面に取り付けられるハウジングと、ハウジング内に収納され、プラグ挿入口から挿入されたモジュラプラグの接触子に接触導通するとともにハウジング内に導入されたケーブルの心線に電気的に接続されるコンタクトとを備え、
ハウジングは、取付面に取り付けられるボディと、取付面の反対側においてボディに被着されるカバーとからなり、カバーはボディに対して取付面に沿った方向に突出した突出部を有し、カバーの裏面に隣り合う側面と裏面との間で連続する開口部をカバーの突出部に設け、該開口部から前記ケーブルをハウジング内に導入することを特徴とするモジュラジャック。
【請求項４】
モジュラプラグが挿入されるプラグ挿入口を有し裏面が取付面に向けられた状態で取付面に取り付けられるハウジングと、ハウジング内に収納され、プラグ挿入口から挿入されたモジュラプラグの接触子に接触導通するとともにハウジング内に導入されたケーブルの心線に電気的に接続されるコンタクトとを備え、ハウジングの裏面に隣り合う側面に開口部を設け、該開口部から前記ケーブルをハウジング内に導入するとともに、開口部と取付面との間におけるハウジングの肉厚は、モールの肉厚に略等しくしてあることを特徴とするモジュラジャック。
【請求項５】
前記開口部を、ケーブルを収納するモールを挿通可能な寸法としたことを特徴とする請求項１乃至４のいずれか記載のモジュラジャック。
【請求項６】
前記開口部の全てまたは一部を覆う閉塞部を設けたことを特徴とする請求項１乃至５のいずれか記載のモジュラジャック。
【請求項７】
閉塞部は切断可能な連結部を介してハウジングと一体成形されているとともに、治具が差し込まれる治具挿入穴を閉塞部に設けたことを特徴とする請求項６記載のモジュラジャック。
【請求項８】
閉塞部は係合部を有し、ハウジングは係合部に係合する被係合部を有し、係合部と被係合部との係合によって閉塞部はハウジングに対して着脱自在に結合することを特徴とする請求項６記載のモジュラジャック。
【請求項９】
ハウジングに着脱自在に取り付けられ磁性体からなる取付面に磁着される磁石ブロックを備え、閉塞部は、磁石ブロックとハウジングとの間に挟持されて前記開口部の全てまたは一部を覆うことを特徴とする請求項６または７記載のモジュラジャック。
【請求項１０】
ハウジングに取り付けられ取付面が磁性体からなるときに取付面に磁着される磁石ブロックを、ハウジングの裏面で且つ開口部の縁部に備えることを特徴とする請求項１乃至９のいずれか記載のモジュラジャック。
【請求項１１】
ハウジングに取り付けられ取付面が磁性体からなるときに取付面に磁着される磁石ブロックを、ハウジングの裏面で且つ開口部の両側に備えることを特徴とする請求項１乃至９のいずれか記載のモジュラジャック。
【請求項１２】
モジュラプラグが挿入されるプラグ挿入口とケーブルが導入されるケーブル挿通穴とを有し取付面に取り付けられるハウジングと、ハウジング内に収納されモジュラプラグの接触子に接触導通するとともにケーブル挿通穴から導入されたケーブルの心線に電気的に接続されるコンタクトと、ハウジングとモール端部との間に配設されケーブルを導入する開口部を有するケーブルカバーとを備えることを特徴とするモジュラジャック。
【請求項１３】
前記開口部を、ケーブルを収納するモールを挿通可能な寸法としたことを特徴とする請求項１２記載のモジュラジャック。
【請求項１４】
ケーブルカバーは係合部を有し、ハウジングは係合部に係合する被係合部を有し、係合部と被係合部との係合によってケーブルカバーはハウジングに対して着脱自在に結合することを特徴とする請求項１２または１３記載のモジュラジャック。
【発明の詳細な説明】
【技術分野】
【０００１】
本発明は、取付面上に露出して取り付けられるモジュラジャックに関するものである。
【背景技術】
【０００２】
従来から、壁面等の取付面上に露出して取り付けられる露出形のモジュラジャックが提供されている。
【０００３】
この種のモジュラジャックとして、例えば図２１（ａ）（ｂ）に示すものがある。このモジュラジャックは、モジュラプラグ（図示せず）が挿入されるプラグ挿入口（図示せず）を下面に有しケーブルＣが挿通されるケーブル挿通穴を上面に有し取付面に固定されるハウジング１と、プラグ挿入口から挿入されたモジュラプラグの接触子に接触導通するコンタクト及びケーブル挿通穴に挿通されたケーブルＣの心線が電気的かつ機械的に接続される端子部を有しハウジング１内に収納されたモジュラブロック５とを備える。ハウジング１は、モジュラブロック５を保持するとともに後面を取付面Ｗに向けて取付面Ｗに固定されるボディ２と、ボディ２の前側に被着されてモジュラブロック５を覆うカバー３とを備える。カバー３には、ボディ２の前面との間にケーブル挿通穴１ａを形成する切り欠き３３ａが設けられている。
【０００４】
また、ハウジング１内に導入されるケーブルＣを保護するために、ケーブルＣが挿通される管状であって取付面Ｗに固定されるモールＭが用いられている。モールＭは、両面テープを用いて取付面Ｗに貼着される。
【特許文献１】特開平６−２９０８２８号公報
【発明の開示】
【発明が解決しようとする課題】
【０００５】
従来は、ケーブル挿通穴１ａが取付面Ｗから離れていたため、ハウジング１とモールＭとを当接させることができなかった。このため、ハウジング１とモールＭとの間でケーブルＣが取付面Ｗから浮き上がって見栄えが悪い上に、ハウジング１付近でケーブルＣをモールＭによって保護することができなかった。
【０００６】
本発明は上記事由に鑑みて為されたものであり、その目的は、見栄えがよいモール配線が可能なモジュラジャックを提供することにある。
【課題を解決するための手段】
【０００７】
請求項１の発明は、モジュラプラグが挿入されるプラグ挿入口を有し裏面が取付面に向けられた状態で取付面に取り付けられるハウジングと、ハウジング内に収納され、プラグ挿入口から挿入されたモジュラプラグの接触子に接触導通するとともにハウジング内に導入されたケーブルの心線に電気的に接続されるコンタクトとを備え、ハウジングの裏面に隣り合う側面と裏面との間で連続する開口部を設け、該開口部から前記ケーブルをハウジング内に導入することを特徴とする。
【０００８】
この発明によれば、ケーブルをモール配線する際にケーブルがハウジングの外側において取付面から浮かないようにできるので、見栄えがよいモール配線が可能となる。
【０００９】
請求項２の発明は、モジュラプラグが挿入されるプラグ挿入口を有し裏面が取付面に向けられた状態で取付面に取り付けられるハウジングと、ハウジング内に収納され、プラグ挿入口から挿入されたモジュラプラグの接触子に接触導通するとともにハウジング内に導入されたケーブルの心線に電気的に接続されるコンタクトとを備え、ハウジングの裏面に隣り合う側面と裏面とにそれぞれ開口部を設け、側面の開口部から前記ケーブルをハウジング内に導入するものであって、ハウジングにおいて裏面の開口部と側面の開口部とを仕切る部位を切除可能としたことを特徴とする。
【００１０】
この発明によれば、裏面の開口部と側面の開口部とを仕切る部位を切除すれば、裏面と側面との間で連続する開口部が形成されるから、ケーブルをモール配線する際にケーブルがハウジングの外側において取付面から浮かないようにできるので、見栄えがよいモール配線が可能となる。
【００１１】
請求項３の発明は、モジュラプラグが挿入されるプラグ挿入口を有し裏面が取付面に向けられた状態で取付面に取り付けられるハウジングと、ハウジング内に収納され、プラグ挿入口から挿入されたモジュラプラグの接触子に接触導通するとともにハウジング内に導入されたケーブルの心線に電気的に接続されるコンタクトとを備え、ハウジングは、取付面に取り付けられるボディと、取付面の反対側においてボディに被着されるカバーとからなり、カバーはボディに対して取付面に沿った方向に突出した突出部を有し、カバーの裏面に隣り合う側面と裏面との間で連続する開口部をカバーの突出部に設け、該開口部から前記ケーブルをハウジング内に導入することを特徴とする。
【００１２】
この発明によれば、ケーブルをモール配線する際にケーブルがハウジングの外側において取付面から浮かないようにできるので、見栄えがよいモール配線が可能となる。
【００１３】
請求項４の発明は、モジュラプラグが挿入されるプラグ挿入口を有し裏面が取付面に向けられた状態で取付面に取り付けられるハウジングと、ハウジング内に収納され、プラグ挿入口から挿入されたモジュラプラグの接触子に接触導通するとともにハウジング内に導入されたケーブルの心線に電気的に接続されるコンタクトとを備え、ハウジングの裏面に隣り合う側面に開口部を設け、該開口部から前記ケーブルをハウジング内に導入するとともに、開口部と取付面との間におけるハウジングの肉厚は、モールの肉厚に略等しくしてあることを特徴とする。
【００１４】
この発明によれば、ケーブルをモール配線する際にケーブルがハウジングの外側において取付面から浮かないようにできるので、見栄えがよいモール配線が可能となる。
【００１５】
請求項５の発明は、請求項１乃至４のいずれかの発明において、開口部を、ケーブルを収納するモールを挿通可能な寸法としたことを特徴とする。
【００１６】
この発明によれば、モール配線時には、モールの端部を開口部を通してハウジング内に挿入してより見栄えを向上することができる。
【００１７】
請求項６の発明は、請求項１乃至５のいずれかの発明において、開口部の全てまたは一部を覆う閉塞部を設けたことを特徴とする。
【００１８】
この発明によれば、モールを用いる場合は閉塞部を除くことで見栄えよいモール配線が可能で、モールを用いない場合には閉塞部によって通常配線の見栄えを向上することができる。
【００１９】
請求項７の発明は、請求項６の発明において、閉塞部は切断可能な連結部を介してハウジングと一体成形されているとともに、治具が差し込まれる治具挿入穴を閉塞部に設けたことを特徴とする。
【００２０】
この発明によれば、閉塞部を除去する際には、治具挿入穴に治具を挿入してこじることで、てこの原理により連結部を容易にねじり切ることができるから、閉塞部の除去が容易となる。
【００２１】
請求項８の発明は、請求項６の発明において、閉塞部は係合部を有し、ハウジングは係合部に係合する被係合部を有し、係合部と被係合部との係合によって閉塞部はハウジングに対して着脱自在に結合することを特徴とする。
【００２２】
この発明によれば、モールを用いる場合は閉塞部を除くことで見栄えよいモール配線が可能で、モールを用いない場合には閉塞部によって通常配線の見栄えを向上することができる。
【００２３】
請求項９の発明は、請求項６または７の発明において、ハウジングに着脱自在に取り付けられ磁性体からなる取付面に磁着される磁石ブロックを備え、閉塞部は、磁石ブロックとハウジングとの間に挟持されて前記開口部の全てまたは一部を覆うことを特徴とする。
【００２４】
この発明によれば、モールを用いる場合は閉塞部を除くことで見栄えよいモール配線が可能で、モールを用いない場合には閉塞部によって通常配線の見栄えを向上することができる。
【００２５】
請求項１０の発明は、請求項１乃至９のいずれかの発明において、ハウジングに取り付けられ取付面が磁性体からなるときに取付面に磁着される磁石ブロックを、ハウジングの裏面で且つ開口部の縁部に備えることを特徴とする。
【００２６】
この発明によれば、磁石ブロックを開口部の縁部に備えることにより、例えばスチール製の事務机のような磁性体からなる取付面への取付も可能となる。
【００２７】
請求項１１の発明は、請求項１乃至９のいずれかの発明において、ハウジングに取り付けられ取付面が磁性体からなるときに取付面に磁着される磁石ブロックを、ハウジングの裏面で且つ開口部の両側に備えることを特徴とする。
【００２８】
この発明によれば、見栄えのよいモール配線ができるのに加え、例えばスチール製の事務机などの磁性体からなる取付面への取付も可能となる。また、開口部の両側は空きスペースとなりやすいので、磁石ブロックを追加してもハウジングが大型化しない。
【００２９】
請求項１２の発明は、モジュラプラグが挿入されるプラグ挿入口とケーブルが導入されるケーブル挿通穴とを有し取付面に取り付けられるハウジングと、ハウジング内に収納されモジュラプラグの接触子に接触導通するとともにケーブル挿通穴から導入されたケーブルの心線に電気的に接続されるコンタクトと、ハウジングとモール端部との間に配設されケーブルを導入する開口部を有するケーブルカバーとを備えることを特徴とする。
【００３０】
この発明によれば、モールを用いる場合はモールとハウジングとの間のケーブルをケーブルカバーによって覆ってケーブルがケーブルカバーの外側において取付面から浮かないようにできるので、見栄えを向上することができる。また、モールを用いない場合にはケーブルカバーを取り付けないことで通常配線の見栄えもよくできる。さらに、ケーブルカバー以外は従来のモジュラジャックと共用とすることができる。
【００３１】
請求項１３の発明は、請求項１２の発明において、開口部を、ケーブルを収納するモールを挿通可能な寸法としたことを特徴とする。
【００３２】
この発明によれば、モールを用いた配線時には、モールの端部を開口部を通してケーブルカバー内に挿入してより見栄えを向上することができる。
【００３３】
請求項１４の発明は、請求項１２または１３の発明において、ケーブルカバーは係合部を有し、ハウジングは係合部に係合する被係合部を有し、係合部と被係合部との係合によってケーブルカバーはハウジングに対して着脱自在に結合することを特徴とする。
【００３４】
この発明によれば、ケーブルカバーをハウジングに対して容易に着脱することができる。
【発明の効果】
【００３５】
本発明によれば、ケーブルをモール配線する際にケーブルがハウジングの外側において取付面から浮かないようにでき、またはモールとハウジングとの間のケーブルをケーブルカバーによって覆ってケーブルがケーブルカバーの外側において取付面から浮かないようにできるので、見栄えを向上することができる。
【発明を実施するための最良の形態】
【００３６】
以下、本発明を実施するための最良の形態について、図面を参照しながら説明する。
【００３７】
（実施形態１）
本実施形態は、図１（ａ）に示すように取付面Ｗに取り付けられるハウジング１に図１（ｂ）に示すモジュラブロック５が収納されてなる。以下、上下左右は図１（ａ）を基準とし、図１（ａ）の左下―右上方向を前後方向として説明する。
【００３８】
モジュラブロック５は、図２に示すように、それぞれ圧接端子からなりケーブルＣ（図１（ａ）参照）の心線が接続される複数個（例えば８個）の端子部（図示せず）が上端部前面に設けられるとともに下面にはモジュラプラグ（図示せず）が挿入されるプラグ挿入口（図示せず）が開口したモジュラ本体５１と、モジュラ本体５１に結合して端子部を覆うモジュラカバー５２とを備える。モジュラ本体５１のプラグ挿入口内には、それぞれ端子部に電気的に接続されモジュラプラグの接触子に接触導通する複数本（例えば８本）のコンタクト（図示せず）が保持されている。
【００３９】
ハウジング１は、例えば合成樹脂成形品からなり後面（裏面）を取付面Ｗに向けて取付面Ｗに取り付けられるボディ２と、例えば合成樹脂成形品からなりボディ２の前側に取り付けられるカバー３とを備え、全体として直方体形状に形成されている。
【００４０】
ボディ２の前面には、図３に示すように、下側が開放された収納凹部２１が設けられ、収納凹部２１の底面にはそれぞれ左右に弾性を有する２本のモジュラ保持部２２が左右に並べて前方へ突設されている。各モジュラ保持部２２の前端には、それぞれ係合爪２２ａが内側へ突設されていて、各係合爪２２ａがそれぞれモジュラ本体５１の左右の面に設けられた凹部５１ａにそれぞれ係入することにより、モジュラブロック５は収納凹部２１内に保持されている。また、収納凹部２１の底面において、モジュラブロック５が保持される部位の後側には、Ｕ字形状のスリットで囲まれて前後に弾性を有する取外し操作部２１ａが設けられている。モジュラブロック５をボディ２から取り外す際には、ボディ２の後方から取外し操作部２１ａを介してモジュラブロック５を前方へ押せば、モジュラ保持部２２を弾性変形させて係合爪２２ａと凹部５１ａとの係合を解除しモジュラブロック５を取り外すことができる。
【００４１】
カバー３は、ハウジング１の前面を構成する長方形状の前板３１と、前板３１の左右両端からそれぞれ後方へ突設された左右に対向する側壁３２と、前板３１の上端から後方へ突設され各側壁３２にそれぞれ連結された上壁３３とからなる。
【００４２】
上壁３３の切り欠き３３ａの左右において、それぞれ下面の後端部には、係合突起３３ｂ（図１２（ａ）参照）が下方へ突設されている。また、各側壁３２のそれぞれ内側の面の後端部には、それぞれ係合突起３２ａ（図１２（ａ）参照）が内側へ突設されている。ボディ２の上端部には、それぞれ上面に係合凹部２３ａを有する係合突起２３が左右に並べて前方へ突設され、ボディ２の左右両端部には、左右に対向してそれぞれ前端部が外側へ曲がることにより断面Ｌ字形状に形成された係合突起２４が前方へ突設されている。カバー３をボディ２に取り付ける際には、カバー３の左右の側壁３２をそれぞれボディ２の前面に当接させてカバー３をボディ２に対して下方へスライドさせると、カバー３の左右の側壁３２の係合突起３２ａがそれぞれボディ２の左右端部の係合突起２４に係合するとともに、ボディ２の上端部に設けられた係合突起２３の係合凹部２３ａにカバー３の上壁３３の係合突起３３ｂが係入することにより、ボディ２とカバー３とが結合する。
【００４３】
ボディ２の下側には、モジュラプラグが挿入されるプラグ挿入口１ｂと、プラグ挿入口１ｂを開閉自在に覆う扉体４１とを有するシャッターブロック４が取り付けられている。扉体４１は、シャッターブロック４に内蔵されたコイルばね（図示せず）によって、プラグ挿入口１ｂを閉じる方向へ付勢されている。シャッターブロック４の左右両端部には、それぞれ２個の係合突起４２が前後に並べて上方へ突設されている。各係合突起４２の上端には、左右方向のうちプラグ挿入口４１から離れる方向へ係合爪４２ａが突設されている。ボディ２の下端部の左右両端部にはそれぞれシャッター保持部２５が前方へ突設され、各シャッター保持部２５にはそれぞれ２個の係合穴２５ａが前後に並べて上下に貫設されていて、シャッターブロック４の各係合爪４２ａがそれぞれシャッター保持部２５の係合穴２５ａに係合することにより、シャッターブロック４はボディ２に対して結合している。ここにおいて、シャッターブロック４のプラグ挿入口１ｂは、モジュラブロック５のプラグ挿入口に臨む。
【００４４】
カバー３にはカラーチップ７が着脱自在に取り付けられ、カラーチップ７の色によってケーブルＣの接続先を識別することができるようになっている。詳しく説明すると、カラーチップ７は、左右に長い平板形状の本体部７１と、本体部７１の後面に左右に並べて後方へ突設された係合片７２とを備える。各係合片７２のそれぞれ後端には、係合爪が外側へ突設されている。カバー３の前板３１の前面の下端部にはカラーチップ７の本体部７１よりも僅かに大きい寸法に形成されたカラーチップ収納凹部３１ａが設けられている。カラーチップ収納凹部３１ａの底面には貫通穴３１ｂが前後に貫設されていて、カラーチップ７の係合片７２がカバー３の貫通穴３１ｂに挿通されて係合爪が貫通穴３１ｂの左右の端部に係合することによってカラーチップ７はカバー３に結合している。ここにおいて、カラーチップ７の本体部７１はカラーチップ収納凹部３１ａに収納されて前方へは突出しないようになっている。
【００４５】
ボディ２の左右両端部には、それぞれ取付面Ｗへのねじ止めのためのねじ（図示せず）が挿通されるねじ挿通穴２１ｂが前後に貫設されている。ねじ挿通穴２１ｂに挿通したねじを例えば木材からなる壁面等の取付面Ｗに螺合させることにより、ハウジング１を取付面Ｗに固定することができる。
【００４６】
また、ボディ２の後側には、マグネットブロック６が着脱自在に装着され、取付面Ｗが磁性体からなる場合には、マグネットブロック６を取付面Ｗに磁着することにより、例えば取付面Ｗがスチール製の事務机などであってねじ止めが不可能な場合にもハウジング１を取付面Ｗに取り付けることができるようになっている。詳しく説明すると、マグネットブロック６は、平板形状のフェライト磁石６１と、断面コ字形状に形成されフェライト磁石６１を短手方向の両側から挟むようにしてフェライト磁石６１に取りつけられたヨーク６２とからなる。ヨーク６２の左端部には係合突起６２ａが左方へ突設され、ヨーク６２の右端部には係合爪６２ｂが上下に並べて右方へ突設されている。ボディ２の後面の上端部にはマグネットブロック６が収納されるマグネット収納凹部（図示せず）が設けられ、マグネット収納凹部の左端面には係合突起２６ａが右方へ突設され、右端面には２個の係合突起２６ｂが上下に並んで左方へ突設されていて、左側の係合突起２６ａが左側の係合爪６２ａに係合し、右側の各係合突起２６ｂがそれぞれ右側の係合爪６２ｂに係合することによって、マグネットブロック６はボディ２の後側に着脱自在に取り付けられる。
【００４７】
さらに、ボディ２の上端部には、薄肉に形成された連結部８１ａ，８１ｂを介して他の部位と連結され連結部８１ａ，８１ｂの切断により除去可能な閉塞部８が設けられている。閉塞部８の上端部は、ハウジング１の上面を構成するように前後の幅寸法を他の部位よりも大きくしてあり、カバー３の上壁３３の後端に当接する。また、閉塞部８の上端部の左右の連結部８１ａは、ハウジング１の内面となる下側の面に溝が設けられることによって薄肉となっている。この構成により、ハウジング１の外面となるボディ２の上面が平坦となり見栄えが向上している。閉塞部８の前面には、前方へ突出し、上下に開放された溝が前面に設けられた台座突起８２と、台座突起８２の右端付近から台座突起８２よりも前方へ突出し先部が左方へ曲がったＬ字形状であって台座突起８２との間でケーブルＣを挟持するケーブル保持片８３とが設けられている。
【００４８】
モールＭは、図１（ａ）に示すように、モールベースＭ１と、モールベースＭ１に結合するモールカバーＭ２とからなる。モールベースＭ１は、長手方向の両端に開放されケーブルＣが収納される凹部Ｍ１ａを前面に有し、後面を取付面Ｗに向けて例えば両面テープを用いて壁面のような取付面Ｗに固定される。モールカバーＭ２は、断面Ｕ字形状に形成されモールベースＭ１を短手方向の両側から弾性的に挟むことによってモールベースＭ１に結合しモールベースＭ１とともにケーブルＣを覆う。
【００４９】
モールＭを用いて配線する際には、図４（ａ）に示すようにカバー３と磁石ブロック６とをボディ２から取外し、連結部８１ａ，８１ｂを切断して閉塞部８を除去する。すると、図４（ｂ）に示すように、ボディ２の上端部には、前後と上方とに開放された切り欠き２７が形成される。次に、ケーブルＣの心線をモジュラブロック５の端子部に接続し、図１（ａ）に示すように、取付面Ｗに固定されたモールベースＭ１の長手方向の一端部が切り欠き２７に収納されるようにボディ２を取付面Ｗに固定する。最後に、モールカバーＭ２をモールベースＭ１に取り付け、カバー３をベース２に取り付ける。このとき、切り欠き２７の前側がカバー３によって覆われることでハウジング１には上面と後面とに連続した開口部が形成される。また、カバー３と取付面Ｗとの間で、切り欠き２７の位置にはケーブル挿通穴１ａが形成され、このケーブル挿通穴１ａに、モールＭの端部が収納される。ここで、閉塞部８の上端部の左右には、連結部８１ａが左右に並べて２箇所ずつ設けられており、外側と内側とのいずれの連結部８１ａを切断するかによって、切り欠き２７の左右の幅寸法を２種類のモールＭ（例えば１号と２号）に対応した２通りの幅寸法のうちから選ぶことができる。
【００５０】
ここで、カバー３の上壁３３の後端であって左右方向の中央部には、切り欠き３３ａが設けられていて、モールＭを用いない場合には、閉塞部８を切除せずにボディ２とカバー３とを結合させれば、ケーブルＣの外径よりも僅かに大きいケーブル挿通穴１ａがカバー３の切り欠き３３ａと閉塞部８の上端部との間に形成される。
【００５１】
上記構成によれば、モールＭを用いるモール配線の際には閉塞部８を取り外してケーブル挿通穴１ａにモールＭの端部を収納し、ハウジング１の外側においてケーブルＣが取付面から浮かないようにできるので、見栄えを向上することができる。また、モールＭを用いない通常配線の場合は、閉塞部８を残しておけばケーブル挿通穴１ａの内径はケーブルＣの外径よりも僅かに大きい程度となるから、閉塞部８を設けない場合に比べて通常配線の見栄えを向上することができる。
【００５２】
なお、モール配線にのみ対応させる場合には、ボディ２は図４（ｂ）に示すように閉塞部８を有さずに切り欠き２７を有する形状とすればよい。この構成を採用すれば、モール配線時に閉塞部８を切除する必要がなくなり、配線作業が容易となる。
【００５３】
また、閉塞部８を除去した後のケーブル挿通穴１ａの寸法は必ずしもモールＭを挿通可能な寸法とする必要はなく、モールＭよりも取付面Ｗからの突出寸法が小さい範囲内でケーブルＣを挿通可能であれば、モールＭをハウジング１の上面に当接させ、ハウジング１の外側においてケーブルＣが取付面から浮かないようにできるので、見栄えの向上は可能である。ただし、ハウジング１内にモールＭの端部を収納する本実施形態の構成の方が、ハウジング１とモールＭとの間の隙間が前方からは見えなくなることで、より見栄えが向上するため望ましい。
【００５４】
また、図５及び図６に示すように、治具が挿入される治具挿入穴８４を閉塞部８に前後に貫設してもよい。この構成を採用すれば、治具挿入穴８４に例えばマイナスドライバーのような治具を挿入してこじることで連結部８１ａ，８１ｂを容易にねじ切って閉塞部８を除去することができる。さらに、図５及び図６の例では、閉塞部８の左右の連結部８１ａの前後の幅寸法を小さくして切断しやすくしている。
【００５５】
さらに、切り欠き２７の後側に図７に示すような壁２７ａを設けてもよい。この構成を採用すれば、ケーブル挿通穴１ａの内側の取付面Ｗが隠れることで見栄えが向上する。この場合、ケーブル挿通穴１ａの後側の壁２７ａの肉厚（前後方向の寸法）は、モールベースＭ１の凹部Ｍ１ａの底部の肉厚と同程度とすれば、ケーブル挿通穴１ａの開口付近に段差が生じないから、ケーブルＣに機械的な負荷がかかりにくい。
【００５６】
（実施形態２）
本実施形態の基本構成は実施形態１と共通であるので、共通する部分については同じ符号を付して図示並びに説明を省略する。
【００５７】
本実施形態の閉塞部８は、図８（ａ）（ｂ）に示すように、ボディ２とは別体に形成され、切り欠き２７に収納される形でボディ２と磁石ブロック６との間に挟持されている。また、閉塞部８には、左右の端面からそれぞれ左右に突出する抜け止め突起８５と、下端部から後方へ突出して後端部が下方へ曲がった抜け止め片８６とが設けられている。そして、抜け止め突起８５が切り欠き２７の左右において、抜け止め片８６が切り欠き２７の下側において、それぞれボディ２の後面に当接することにより、閉塞部８の前方への脱落が防止されている。さらに、閉塞部８の上端部は他の部位よりも前後に突出させてあり、閉塞部８の上端部と抜け止め片８６との間には左右に開放された磁石収納溝８７が形成されている。磁石収納溝８７の上下の幅寸法は磁石ブロック６の上下の幅寸法よりも僅かに大きくしてあり、磁石ブロック６が磁石収納溝８７に収納されることによって閉塞部８の上下方向の位置ずれが防止されている。
【００５８】
また、閉塞部８の上端部は、前後の幅寸法を、ボディ２の上端部の前後の幅寸法と略同じとしてあり、左右の幅寸法を、切り欠き２７の左右の幅寸法よりも僅かに小さくしてある。
【００５９】
モールＭを用いずに配線する場合には、図８（ａ）に示すように閉塞部８をボディ２に取り付ける。すると、ボディ２の切り欠き２７が閉塞部８によって閉塞されることにより、閉塞部８の上端部とカバー３の切り欠き３３ａとの間には、内径がケーブルＣの外径よりも僅かに大きいケーブル挿通穴１ａが形成される。一方、モールＭを用いて配線する場合には、図８（ｂ）に示すように閉塞部８及び磁石ブロック６を取り外せば、実施形態１において閉塞部８を取り除いた場合と同様にケーブル挿通穴１ａが拡張され、ケーブル挿通穴１ａにモールＭの端部を収納することができる。
【００６０】
上記構成によれば、モール配線の際には、閉塞体８を取り外してケーブル挿通穴１ａを通じてハウジング内にモールＭの端部を収納し、ハウジング１の外側においてケーブルＣが取付面から浮かないようにできるので、見栄えを向上することができる。また、通常配線の際には閉塞対８を取り付けてケーブル挿通穴１ａの内径をケーブルＣの外径と同程度とし、見栄えを向上することができる。さらに、実施形態１とは異なり、変更が可逆的かつ変更作業が容易である。
【００６１】
なお、製造時は実施形態１のような連結部８１ａを介して閉塞部８とボディ２とを一体に形成し、最初に閉塞部８をボディ２から取り外すときに連結部８１ａを切断するようにしてもよい。
【００６２】
さらに、閉塞部８とボディ２とを凹凸係合によって着脱自在に結合してもよい。具体的には、図９に示すように、閉塞部８の左右両端部からそれぞれ係合突起８８を前方へ突設するとともに、ボディ２において切り欠き２７の左右両側にはそれぞれ被係合突起２７ｂを前方へ突設する。さらに、係合突起８８には、係合部として、閉塞部８の左右に突出し後方ほど突出寸法が大きくなるように傾斜した係合爪８８ａを設け、被係合突起２７ｂの内側の面には、被係合部として、係合爪８８ａが係合する被係合凹部２７ｃを設ける。
【００６３】
図９の例において閉塞部８をボディ２に取り付けるときは、係合突起８８と被係合突起２７ｂとの位置を合わせて閉塞部８をボディ２の後方から切り欠き２７内に押し込む。すると、係合爪８８ａが被係合凹部２７ｃに係合して閉塞部８がボディ２に結合する。また、閉塞部８をボディ２から取り外すときは、閉塞部８の前方から閉塞部８を後方へ強く押すと、係合突起８８を内側へ倒すように閉塞部８が弾性変形して係合爪８８ａと被係合凹部２７ｃとの係合が外れる。
【００６４】
この構成を採用すれば、磁石ブロック６を取り付けずに閉塞部８をボディ２に取り付けることが可能となるから、磁石ブロック６を用いない場合の施工性が向上する。
【００６５】
（実施形態３）
本実施形態の基本構成は実施形態１と共通であるので、共通する構成については同じ符号を付して図示並びに説明を省略する。
【００６６】
本実施形態は、閉塞部８を切除可能とする代わりに、図１０（ｂ）に示すように、ボディ２の左右両端部から上方へ突出した突出部２８と薄肉の連結部２８ａを介して各突出部２８にそれぞれ連結され連結部２８ａの切断によって除去可能なノックアウト部２８ｂとをボディ２に設けている。突出部２８の間には前後に開放された開口部２８ｄが形成されている。また、図１０（ａ）に示すように、カバー３は前方から見てボディ２の突出部２８及びノックアウト部２８ｂを覆う寸法に形成されている。さらに、ノックアウト部２８ｂの前端には、ケーブルＣの外径よりも僅かに大きいケーブル挿通穴１ａをカバー２との間に形成する切り欠き２８ｃを設けている。すなわち、上側の開口部たるケーブル挿通穴１ａと後ろ側の開口部２８ｄの間の部位であるノックアウト部２８ｂが切除可能となっている。そして、ノックアウト部２８ｂを切除すると、開口部２８ｄの位置においてカバー３と取付面Ｗとの間にはモールＭを挿通可能な寸法のケーブル挿通穴１ａが形成される。
【００６７】
モール配線の際は、図１０（ｃ）に示すようにノックアウト部２８ｂを切除して開口部２８ｄを上方へ開放すれば、図１１（ａ）（ｂ）に示すようにモールＭの端部を開口部２８ｄに収納することができる。
【００６８】
上記構成によれば、モール配線の際には、ノックアウト部２８ｂを切除してケーブル挿通穴１ａを通じてハウジング１内にモールＭの端部を収納し、ハウジング１の外側においてケーブルＣが取付面から浮かないようにできるので、見栄えを向上することができる。また、通常配線の際にはノックアウト部２８ｂを残してケーブル挿通穴１ａの内径をケーブルＣの外径と同程度とし見栄えを向上することができる。さらに、実施形態１と違ってモール配線の際にも磁石ブロック６を取り外す必要がないから、磁性体からなる取付面Ｗへの取り付けとモール配線との併存が可能となる。
【００６９】
なお、ノックアウト部２８ｂを除去した後のケーブル挿通穴１ａの寸法は必ずしもモールＭを挿通可能な寸法とする必要はなく、モールＭよりも取付面Ｗからの突出寸法が小さい範囲内でケーブルＣを挿通可能であれば、モールＭをハウジング１の上面に当接させ、ハウジング１の外側においてケーブルＣが取付面から浮かないようにできるので、見栄えの向上は可能である。ただし、ハウジング１内にモールＭの端部を収納する本実施形態の構成の方が、ハウジング１とモールＭとの間の隙間が前方からは見えなくなることで、より見栄えが向上するため望ましい。
【００７０】
（実施形態４）
本実施形態の基本構成は実施形態１と共通であるので、共通する構成については同じ符号を付して図示並びに説明を省略する。
【００７１】
本実施形態は、閉塞部８を除去可能とする代わりに、図１２（ａ）に示すようにボディ２の上方へ突出する突出部３４をカバー３に設け、この突出部３４に、取付面Ｗとの間にケーブル挿通穴１ａを形成する切り欠き３４ａを設けている。突出部３４は、後面が取付面Ｗに当接するように前後の幅寸法をカバー３の他の部位よりも大きくしてある。切り欠き３４ａの寸法は、ケーブル挿通穴１ａの内径がケーブルＣの外径よりも僅かに大きくなる程度としてある。また、切り欠き３４ａの周囲には、他の部位よりも薄肉に形成されて切除可能なノックアウト部３４ｂが設けられており、ノックアウト部３４ｂを切除すれば、図１２（ｂ）に示すようにケーブル挿通穴１ａにモールＭを挿通可能となる程度に切り欠き３４ａが拡張されるようになっている。
【００７２】
モール配線の際は、先に図１３（ａ）に示すようにモールＭとボディ２とを取付面Ｗに上下に並べて取り付け、モールＭの端部をカバー３の突出部３４で覆うようにしてカバー３をボディ２に取り付ける。
【００７３】
上記構成によれば、モール配線の際には、ノックアウト部３４ｂを切除してケーブル挿通穴１ａを通じてカバー３の突出部３４内にモールＭの端部を収納し、ハウジング１の外側においてケーブルＣが取付面から浮かないようにできるので、見栄えを向上することができる。また、通常配線の際にはノックアウト部３４ｂを残してケーブル挿通穴１ａの内径をケーブルＣの外径と同程度とし見栄えを向上することができる。さらに、実施形態１と違ってモール配線の際にも磁石ブロック６を取り外す必要がないから、磁性体からなる取付面Ｗへの取り付けとモール配線との併存が可能となる。また、カバー３以外の部品を従来のモジュラジャックと共用とすることができる。
【００７４】
（実施形態５）
本実施形態の基本構成は実施形態１と共通であるので、共通する構成については同じ符号を付して図示並びに説明を省略する。
【００７５】
本実施形態のボディ２は、図１４及び図１５に示すように、厚さ寸法がモールＭの肉厚と同程度である平板の一方の面にモジュラ保持部２２と係合突起２３，２４とシャッター保持部２５とが突設された形状としてある。
【００７６】
また、カバー３の側壁３２及び上壁３３の突出寸法を実施形態１に比べて大きくすることにより、ハウジング１の左右の側面と上面とがカバー３によって構成されるようにしてある。すなわち、カバー３の切り欠き３３ａとボディ２との間に形成される開口部たるケーブル挿通穴１ａと取付面Ｗとの間のハウジングの厚さ寸法は、モールＭの肉厚と同程度となっている。
【００７７】
また、ケーブル挿通穴１ａからモジュラブロック５の端子部までの距離Ｌは、ケーブルＣに機械的な負荷がかからない程度に大きくしてある。
【００７８】
上記構成によれば、ハウジング１の外側においてケーブルＣが取付面Ｗから浮かないようにでき、したがって図１５に示すようにモールＭをハウジング１に当接させケーブルＣの露出を防いで見栄えを向上することができる。また、図１（ａ）〜（ｃ）の実施形態に比べ、ケーブル挿通穴１ａの後側の取付面Ｗが隠れることで見栄えが向上している。さらに、ケーブル挿通穴１ａと取付面Ｗとの間のハウジングの厚さ寸法をモールＭの肉厚と同程度としたことにより、ケーブル挿通穴１ａの開口付近に段差が生じないから、ケーブルＣに機械的な負荷がかかりにくい。
【００７９】
（実施形態６）
本実施形態の基本構成は実施形態１と共通であるので、共通する構成については同じ符号を付して図示並びに説明を省略する。
【００８０】
本実施形態は、カバー３に切り欠き３３ａを設ける代わりに、図１６に示すように、カバー３との間にケーブル挿通穴１ａを形成する切り欠き２ａをボディ２に設けることにより、取付面Ｗからの突出寸法がモールＭよりも小さい範囲内にケーブル挿通穴１ａが形成されるようにしたことを特徴とする。また、ボディ２の後面において左右両端部にそれぞれ設けられた凹部２６ｃには、それぞれ磁石ブロック６ａが収納され例えば接着によって保持されている。すなわち、磁石ブロック６ａは開口部たるケーブル挿通穴１ａの左右両側に配置されている。また、切り欠き２ａの位置でのボディ２の厚さ寸法すなわちケーブル挿通穴１ａと取付面Ｗとの間のハウジング１の厚さ寸法は、モールＭの肉厚と同程度としてある。
【００８１】
上記構成によれば、取付面Ｗからの突出寸法がモールＭよりも小さい範囲内にケーブル挿通穴１ａを形成したから、ハウジング１の外側においてケーブルＣが取付面から浮かないようにでき、したがって図１７（ａ）〜（ｃ）に示すようにモールＭをハウジング１に当接させケーブルＣの露出を防いで見栄えを向上することができる。また、図１（ａ）〜（ｃ）の実施形態に比べ、ケーブル挿通穴１ａの後側の取付面Ｗが隠れることで見栄えが向上している。さらに、ケーブル挿通穴１ａと取付面Ｗとの間のハウジングの厚さ寸法をモールＭの肉厚と同程度としたことにより、ケーブル挿通穴１ａの開口付近に段差が生じないから、ケーブルＣに機械的な負荷がかかりにくい。また、磁石ブロック６ａを備えることにより、磁性体からなる取付面Ｗへの取付が可能となる。さらに、実施形態１と違ってモール配線の際にも磁石ブロック６ａを取り外す必要がないから、磁性体からなる取付面Ｗへの取り付けとモール配線との併存が可能となる。また、実施形態１では空きスペースであったケーブル挿通穴１ａの左右両側に磁石ブロック６ａを配置しているので、実施形態１と比較してハウジング１が大型化しない。
【００８２】
（実施形態７）
本実施形態の基本構成は実施形態１と共通であるので、共通する構成については同じ符号を付して図示並びに説明を省略する。
【００８３】
本実施形態は、図１８に示すように、ハウジング１の上側に例えば接着剤や両面テープを用いて取り付けられてハウジング１の上面を覆うケーブルカバー９を備えることを特徴とする。ケーブルカバー９は、略直方体形状に形成され、後面を取付面Ｗに当接させ且つ前面及び左右の側面をそれぞれハウジング１の前面及び左右の側面と略面一としてハウジング１に取り付けることができるように寸法を設定してある。また、ケーブルカバー９には、上下の面と後面（裏面）とにそれぞれ開放されたケーブル収納凹部９１が設けられている。ケーブル収納凹部９１は、モールＭを挿通可能な寸法の開口部９１ａを有しハウジング１のケーブル挿通穴１ａに連通するケーブル挿通部を取付面Ｗとの間に形成する。
【００８４】
上記構成によれば、モール配線時には、ハウジング１とモールＭとの間のケーブルＣ並びにモールＭの端部をケーブルカバー９によって覆って見栄えを向上することができる。また、通常配線時には、ケーブルカバー９を取り付けないことで取付面Ｗに占める面積を縮小して見栄えを向上することができる。また、ハウジング１は従来のモジュラジャックと共用とすることができる。
【００８５】
また、開口部９１ａの寸法は必ずしもモールＭを挿通可能な寸法とする必要はなく、モールＭよりも取付面Ｗからの突出寸法が小さい範囲内でケーブルＣを挿通可能であれば、モールＭをケーブルカバー９の上面に当接させ、ハウジング１の外側においてケーブルＣが取付面から浮かないようにできるので、見栄えの向上は可能である。ただし、ケーブルカバー９によってモールＭの端部を覆う本実施形態の構成の方が、ケーブルカバー９とモールＭとの間の隙間が前方からは見えなくなることで、より見栄えが向上するため望ましい。
【００８６】
さらに、ケーブルカバー９とハウジング１とを凹凸係合によって結合してもよい。具体的には例えば図１９に示すように、ボディ２の上面には前面に被係合部としての被係合凹部２９ａを有する係合突起２９を上方へ突設する。図２０に示すようにケーブルカバー９の下端部には被係合凹部２９ａに嵌合する係合部としての係合突起９２を後方へ突設し、係合突起９２が凹部に嵌合することによってケーブルカバー９をハウジング１に着脱自在に結合する。また、見栄えを向上するために、ボディ２の係合突起２９及びケーブルカバー９の係合突起９２はそれぞれケーブルカバー９によって覆われる位置に設けられている。
【００８７】
この構成を採用すれば、ケーブルカバー９のハウジング１への着脱が容易となる。ここで、図１９及び図２０の例の場合、ボディ２を従来のモジュラジャックと共用とすることはできなくなるが、カバー３は従来のモジュラジャックと共用とすることができ、かつボディ２の形状への変更は係合突起２９を追加するだけであるから変更にかかるコストは僅かですむ。
【図面の簡単な説明】
【００８８】
【図１】本発明の実施形態１を用いてモール配線を行う手順を示す斜視図であり、（ａ）はボディとモールベースとを取付面に取り付けた状態、（ｂ）はモールベースにモールカバーを取り付けた状態、（ｃ）はボディにカバーを取り付けて配線が完了した状態を示す。
【図２】同上を示す分解斜視図である。
【図３】同上のボディを示す正面図である。
【図４】同上の使用法を示す斜視図であり、（ａ）は磁石ブロックを取り外した状態、（ｂ）は閉塞部を切除した状態を示す。
【図５】同上の別の形態のボディを示す図であり、（ａ）は正面図、（ｂ）は平面図である。
【図６】同上の別の形態からカバーを取り外した状態を示す斜視図である。
【図７】同上の更に別の形態を示す斜視図であり、（ａ）はボディにカバーを取り付けた状態、（ｂ）はカバーを取り外した状態を示す。
【図８】本発明の実施形態２を示す図であり、（ａ）はカバーを取り外した状態を示す斜視図、（ｂ）は（ａ）の分解斜視図である。
【図９】同上の別の形態を示す図であり、（ａ）はカバーを取り外した状態を示す斜視図、（ｂ）は（ａ）の分解斜視図である。
【図１０】本発明の実施形態３を示す斜視図であり、（ａ）はボディにカバーを取り付けた状態、（ｂ）はカバーを取り外した状態、（ｃ）はノックアウト部を切除した状態を示す。
【図１１】同上を用いてモール配線を行う手順を示す斜視図であり、（ａ）はボディとモールベースとを取付面に取り付けた状態、（ｂ）はモールベースにモールカバーを取り付けた状態、（ｃ）はボディにカバーを取り付けて配線が完了した状態を示す。
【図１２】本発明の実施形態４のカバーを示す斜視図であり、（ａ）はノックアウト部を切除する前の状態、（ｂ）はノックアウト部を切除した後の状態を示す。
【図１３】同上を用いてモール配線を行う手順を示す斜視図であり、（ａ）はボディとモールとを取付面に取り付けた状態、（ｂ）はボディにカバーを取り付けて配線が完了した状態を示す。
【図１４】本発明の実施形態５を示す分解斜視図である。
【図１５】同上の使用状態を示す図であり、（ａ）は正面図、（ｂ）は（ａ）のＡ−Ａ断面図である。
【図１６】本発明の実施形態６からカバーを取り外した状態を示す斜視図であり、（ａ）は前面側を示し、（ｂ）は後面側を示す。
【図１７】同上を用いてモール配線を行う手順を示す斜視図であり、（ａ）はボディとモールベースとを取付面に取り付けた状態、（ｂ）はモールベースにモールカバーを取り付けた状態、（ｃ）はボディにカバーを取り付けて配線が完了した状態を示す。
【図１８】本発明の実施形態７を示す図であり、（ａ）は分解斜視図、（ｂ）は使用状態を示す斜視図である。
【図１９】同上の別の形態のケーブルカバーを示す斜視図である。
【図２０】同上の別の形態を示す分解斜視図である。
【図２１】従来例を示す斜視図であり、（ａ）はカバーを取り外した状態、（ａ）はボディにカバーを取り付けた状態を示す。
【符号の説明】
【００８９】
１  ハウジング
１ａ  ケーブル挿通穴
１ｂ  プラグ挿入口
２  ボディ
２ａ  切り欠き
３  カバー
６  磁石ブロック
８  閉塞部
９  ケーブルカバー
２７ｃ  被係合穴
２９ａ  被係合穴
３４  突出部
３４ａ  切り欠き
８１ａ  連結部
８８ａ  係合爪
９２  係合突起
Ｃ  ケーブル
Ｗ  取付面
【図１】
2006004761.tif 000003
【図２】
2006004761.tif 000004
【図３】
2006004761.tif 000005
【図４】
2006004761.tif 000006
【図５】
2006004761.tif 000007
【図６】
2006004761.tif 000008
【図７】
2006004761.tif 000009
【図８】
2006004761.tif 000010
【図９】
2006004761.tif 000011
【図１０】
2006004761.tif 000012
【図１１】
2006004761.tif 000013
【図１２】
2006004761.tif 000014
【図１３】
2006004761.tif 000015
【図１４】
2006004761.tif 000016
【図１５】
2006004761.tif 000017
【図１６】
2006004761.tif 000018
【図１７】
2006004761.tif 000019
【図１８】
2006004761.tif 000020
【図１９】
2006004761.tif 000021
【図２０】
2006004761.tif 000022
【図２１】
2006004761.tif 000023